(57)【要約】      （修正有）【課題】簡易に装着可能であるのみならず、ネクタイを引っ張られたような場合でも、首が絞まる恐れのない簡易ネクタイを提供する。【解決手段】結び目１０と、結び目に取り付けられた大剣２０と、上部に環状部３１を備え、線ファスナ４０を有すると共に、線ファスナのスライダ４１を結び目に固定し、環状部の大きさを変更可能にした小剣３０とにより成る簡易ネクタイにおいて、環状部をその上部で分断し、分断された両端部３１ａ、３１ｂに面ファスナを設けたことを特徴とする。【選択図】図１
0003197879.tif 000002
【実用新案登録請求の範囲】
【請求項１】
結び目（１０）と、結び目（１０）に取り付けられた大剣（２０）と、上部に環状部（３１）を備え、線ファスナ（４０）を有すると共に、線ファスナ（４０）のスライダ（４１）を結び目（１０）に固定し、環状部（３１）の大きさを変更可能にした小剣（３０）とにより成る簡易ネクタイにおいて、環状部（３１）の上部で分断し、分断された両端部（３１ａ，３１ｂ）に面ファスナ（５０，５１）を設けた簡易ネクタイ。
【考案の詳細な説明】
【技術分野】
【０００１】
本考案はネクタイを装着する際に面倒なく装着することができるように工夫した着脱容易なネクタイの改良に関し、より詳しくは着脱容易のみならず、ネクタイを引っ張られる等不測の事態に際し、ネクタイが着用者の首から簡単に外れるよう工夫したネクタイに関する。
【背景技術】
【０００２】
ネクタイはサラリーマンを初めとして、多くの人々に着用されている。ネクタイの結び方には幾つかの種類がある。何れの場合も、首元に結び目を作り、そこから大剣部と小剣部が重なって釣り下がるように着用している。
【０００３】
しかし、ネクタイの着用は難しく、結び目の形が崩れたり、大剣部の長さが適当でなかったりする。そして、毎日着用して慣れている者でも、着用にはかなりの時間を要するものである。まして、着用する機会の少ない人や、老人・子供等にとっては、非常に難しい作業である。
【０００４】
そこで、係る不都合を解消するため、簡単に装着可能なネクタイが様々考案されている。
【０００５】
特許文献１には、衿の下側に通して首周りに付ける首紐と、好みの位置で前後に二つ折りにして前記首紐に掛けるネクタイ本体と、二つ折りのネクタイ本体の上部に結び目を作るための結び目布とにより成る簡易ネクタイが開示されている。
【０００６】
特許文献２には、図４に示されるような、結び目１と、結び目１に取り付けられた大剣２と、上部に環状部４を備え、線ファスナ５を有すると共に、線ファスナ５のスライダ６を結び目１に固定し、環状部４の大きさを変更可能にした小剣３とにより成る簡易ネクタイが開示されている。
【０００７】
特許文献３には、ネクタイを本体部と結び目部の分離型とし、結び目部は着脱式にして、ネクタイ着用時に本体部に結合して用いる簡易ネクタイが開示されている。
【先行技術文献】
【特許文献】
【０００８】
【特許文献１】特開２０１０−２４２２２８号公報
【特許文献２】特開２００２−３３９１２８号公報
【特許文献３】特開２０００−１３６４１２号公報
【考案の概要】
【考案が解決しようとする課題】
【０００９】
上記特許文献２に記載されたネクタイは、着用時に環状部４を上部に引っ張ることで環状部４の周を大きくし、着用者の頭部を環状部４内に通し、シャツの衿内に環状部４をあてがい、後、小剣３を下方に引くことで首周りに環状部４をフィットさせることでネクタイを着用するものである。
【００１０】
かように容易にネクタイを着用することが可能であり、非常に有用な考案であるが、小剣３を他者に引っ張られると、首が絞まってしまう恐れがあった。他者と小競り合いになったような場合、ネクタイを引っ張られることは往々にしてありがちであり、殊に警備員などはかかる場面に遭遇することは決して稀ではない。
【００１１】
そこで本考案は簡易に装着可能であるのみならず、ネクタイを引っ張られたような場合でも、首が絞まる恐れのない簡易ネクタイを提供することを目的とする。
【課題を解決するための手段】
【００１２】
上記の目的を達成する本考案は、以下のように構成した。
【００１３】
結び目と、結び目に取り付けられた大剣と、上部に環状部を備え、線ファスナを有すると共に、線ファスナのスライダを結び目に固定し、環状部の大きさを変更可能にした小剣とにより成る簡易ネクタイにおいて、環状部をその上部で分断し、分断された両端部に面ファスナを設けた簡易ネクタイ。
【考案の効果】
【００１４】
上記のように構成される本考案が、如何に作用して課題を解決するかを図面を参照しながら概説する。
【００１５】
図１は本考案にかかる簡易ネクタイの背面図であり、図２は環状部を連結した状態を示す正面図である。
【００１６】
図１に示されるように、本考案にかかる簡易ネクタイは、環状部３１が分断されており、且つ。分断されたそれぞれの両端部３１ａ，３１ｂの端部に面ファスナ５０，５１が設けられている。
【００１７】
そして、この面ファスナ５０，５１同士を接合することで分断された環状部３０は連結され、かかる連結された状態で着用されるものである。
【００１８】
ただ、連結されているといえども、面ファスナにより接合されているに過ぎず、少し強めの力が加わると簡単に接合が解放され、環状部３１が分断された状態に復帰するものである。
【００１９】
つまりは、本考案にかかるネクタイは簡易に着用することが可能であるのみならず、ネクタイを引っ張られたような場合でも、首が絞まる恐れのないネクタイ足りえるのである。
【図面の簡単な説明】
【００２０】
【図１】本考案にかかる簡易ネクタイの背面図
【図２】環状部を連結した状態を示す正面図
【図３】環状部を連結した状態を示す背面図
【図４】従来例を示す背面図
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
図１乃至図３において示されるように、本考案に係る簡易ネクタイにおいて、２０は大剣、３０は小剣であり、それぞれの上方には結び目１０が存し、通常のネクタイと同様の外観を呈するものである。
【００２３】
図示されるように、上記結び目１０は外見的には通常のネクタイと同形で逆三角形状を呈するものであり、内部は空洞となっている。
【００２４】
大剣２０はその上部が結び目１０内に固着されている。
【００２５】
小剣３０は通常の線ファスナ、すなわち務歯４２をテープ状の一対の基材４３に並べて取り付けたもので、左右対になった一組の間でスライダー４１を動かすことで、左右の務歯４２同士が順に組み合わさってゆき自在に開閉できる構造を有する線ファスナ４０の下端に、通常のネクタイにおける小剣の下端部と同様の外観を有する先端部３２を取り付けたものである。この小剣３０は結び目１０内に挿通されている。
【００２６】
そして、本考案の場合スライダ４１は結び目１０に固着されていることから、環状部３１を上方に引っ張れば、組み合わさった務歯４２が離反し、図３に示されるように基材４３より成る大径の環状部３１を形成することが可能となる。
【００２７】
逆に小剣２０を下方に引っ張れば、スライダ４１により務４２歯同士が順に組み合わさってゆき、小剣２０が長尺になると共に、環状部３１の径は小さなものになる。
【００２８】
環状部３１は分断されており、その両端部３１ａ，３１ｂにはそれぞれ面ファスナ５０，５１が設けれている。
【符号の説明】
【００２９】
１０・・結び目
２０・・大剣
３０・・小剣      
３１・・環状部      
３１ａ，３１ｂ・・両端部
４０・・線ファスナ
４１・・スライダ
４２・・務歯
４３・・基材
【図１】
0003197879.tif 000003
【図２】
0003197879.tif 000004
【図３】
0003197879.tif 000005
【図４】
0003197879.tif 000006